(57)【特許請求の範囲】
【請求項１】
入力端にて入力光を受信し、かつ出力端から出力光を送信する水晶（３）に装着された少なくとも１つのトランスデューサ（２）を有する少なくとも１つの音響光学素子（１）と、前記音響光学素子（１）を通して送信される光を修正する、前記音響光学素子（１）を駆動する少なくとも１つのアナログ電子駆動信号を発生するための駆動ユニットとを備えて構成される、音響光学システムであって、
前記トランスデューサ（２）が、アナログ電子駆動信号を受信し、音波を発生し、かつこれら音波を前記水晶（３）に送信するように構成され、
前記駆動ユニットが、デジタル組み合わせ信号を発生するためのデジタルデータ処理ユニット（３５）と、前記デジタル組み合わせ信号を初期アナログ駆動信号に変換する少なくとも１つのデジタル−アナログ変換器（３２）と、前記アナログ電子駆動信号になるように前記初期アナログ駆動信号を増幅するための増幅器（２５、３３）とを備えて構成され、
前記デジタルデータ処理ユニットが、前記トランスデューサ（２）によって特定の音響周波数を発生するための基礎をそれぞれが形成する少なくとも２つの初期デジタル信号を、計算して発生するためのデジタル周波数計算ユニット（２６）と、前記少なくとも２つの初期デジタル信号を１つの単一デジタル組み合わせ信号（３１）に組み合わせる重ね合わせユニット（３０）とを備えて構成される、
音響光学システム。
【請求項２】
特定の音響周波数を発生するための基礎を形成する少なくとも１つの修正されたデジタル信号へ前記２つの初期デジタル信号の少なくとも１つを修正するように構成されたデジタル修正ユニット（２９）をさらに含む、請求項１に記載の音響光学システム。
【請求項３】
前記修正ユニット（２９）が、前記少なくとも１つのトランスデューサ（２）によって、異なる位相の特定の音響周波数を発生するための基礎を形成する２つの修正されたデジタル信号へ前記２つの初期デジタル信号を修正するように構成される、請求項１または２に記載の音響光学システム。
【請求項４】
前記デジタルデータ処理ユニット（３５）が、前記アナログ電子駆動信号に依存する音響応答における非線形性を補償するために前記デジタル組み合わせ信号を修正するための補償ユニット（３４）をさらに含む、請求項１〜３のいずれか一項に記載の音響光学システム。
【請求項５】
前記デジタル−アナログ変換器（３２）、前記増幅器（２５、３３）、前記トランスデューサ（２）および前記水晶（３）からなる群のコンポーネントのうちの１つにおける温度の少なくとも１つを測定し、かつ前記アナログ電子駆動信号における、温度に基づいた偏差を補償するために、温度に基づいた制御信号を前記補償ユニット（３４）に供給する温度センサをさらに含む、請求項１〜４のいずれか一項に記載の音響光学システム。
【請求項６】
ただ１つの音響光学素子（１）の前記水晶（３）に両方とも装着された少なくとも第１および第２のトランスデューサ（２）を含み、前記第１のトランスデューサ（２）が、第１のアナログ電子駆動信号によって生成された第１の音響信号を前記音響光学素子（１）の前記水晶（３）に送信するように構成され、前記第２のトランスデューサ（２）が、第２のアナログ電子駆動信号によって生成された第２の音響信号を前記音響光学素子（１）の前記水晶（３）に送信するように構成された、請求項１〜５のいずれか一項に記載の音響光学システム。
【請求項７】
水晶（３）および前記水晶（３）に装着されたトランスデューサ（２）をそれぞれ有する少なくとも第１および第２の音響光学素子（１）を含み、前記第１の音響光学素子（１）の前記トランスデューサ（２）が、第１の周波数の第１の音響信号を前記第１の音響光学素子（１）の前記水晶（３）に送信するように構成され、前記第２の音響光学素子（１）の前記トランスデューサ（２）が、第２の周波数の第２の音響信号を前記第２の音響光学素子（１）の前記水晶（３）に送信するように構成され、前記第１および第２の周波数が、同じであっても、互いに異なってもよい、請求項１〜６のいずれか一項に記載の音響光学システム。
【請求項８】
前記第１の音響光学素子（１）が、前記第２の音響光学素子（２）と異なる、請求項７に記載の音響光学システム。
【請求項９】
前記少なくとも１つの音響光学素子（１）が、音響光学可変フィルタＡＯＴＦ（１９）、音響光学変調器ＡＯＭ、音響光学偏向器ＡＯＤ、音響光学ビームスプリッタＡＯＢＳ、音響光学ビームマージャＡＯＢＭ、および周波数シフタからなる群から選択される、請求項１〜８のいずれか一項に記載の音響光学システム。
【請求項１０】
前記第１の音響光学素子（１）が音響光学可変フィルタＡＯＴＦ（１９）であり、前記第２の音響光学素子（１）が音響光学ビームスプリッタＡＯＢＳである、請求項８に記載の音響光学システム。
【請求項１１】
前記音響光学素子（１）によって修正される光が、連続波（ＣＷ）レーザ（１８）またはパルスレーザ（１８）によって発生される、請求項１〜１０のいずれか一項に記載の音響光学システム。
【請求項１２】
前記音響光学素子（１）によって修正される光が、波長の広域連続スペクトルを発生する広帯域光源（１８）によって発生される、請求項１〜１１のいずれか一項に記載の音響光学システム。
【請求項１３】
前記広帯域光源（１８）が、スーパーコンティニューム光源、スーパールミネセンス光源およびＬＥＤ光源からなる群の１つである、請求項１２に記載の音響光学システム。
【請求項１４】
前記アナログ電子駆動信号が、光の帯域幅に影響を及ぼすためにチャープされる、請求項１２または１３に記載の音響光学システム。
【請求項１５】
前記音響光学素子（１）によって修正される光が、１つもしくは複数の特定の波長または１つもしくは複数の狭い波長帯域の少なくとも１つにおける光を発生する線スペクトル光源（１８）によって発生される、請求項１〜１４のいずれか一項に記載の音響光学システム。
【請求項１６】
前記アナログ電子駆動信号が、少なくとも２つの重ね合わされた高調波信号を含む、請求項１〜１５のいずれか一項に記載の音響光学システム。
【請求項１７】
入力端にて入力光を受信し、かつ出力端から出力光を送信する水晶（３）に装着された少なくとも１つのトランスデューサ（２）を有する少なくとも１つの音響光学素子（１）を備えた少なくとも１つの音響光学システムと、少なくとも２つの異なる波長を含む前記入力光を発生する光源（１８）と、前記音響光学素子（１）を通して送信される光を修正する、前記音響光学素子（１）を駆動する少なくとも１つのアナログ電子駆動信号を発生するための駆動ユニットと、前記音響光学システムによって修正された光を光学軸に結合するためのインカップリング素子と、対物レンズ（２０）とを備えて構成される顕微鏡であって、
前記トランスデューサ（２）が、アナログ電子駆動信号を受信し、音波を発生し、かつこれら音波を前記水晶（３）に送信するように構成され、
前記駆動ユニットが、デジタル組み合わせ信号を発生するためのデジタルデータ処理ユニット（３５）と、前記デジタル組み合わせ信号を初期アナログ駆動信号に変換する少なくとも１つのデジタル−アナログ変換器（３２）と、前記アナログ電子駆動信号になるように前記初期アナログ駆動信号を増幅するための増幅器（２５、３３）とを備えて構成され、
前記デジタルデータ処理ユニット（３５）が、前記トランスデューサ（２）によって特定の音響周波数を発生するための基礎をそれぞれが形成する少なくとも２つの初期デジタル信号（２７、２８）を、計算して発生するためのデジタル周波数計算ユニット（２６）と、
前記２つの初期デジタル信号（２７、２８）の少なくとも１つを、特定の音響周波数を発生するための基礎を形成する少なくとも１つの修正されたデジタル信号に修正するように構成されたデジタル修正ユニット（２９）と、前記少なくとも１つの修正されたデジタル信号と１つの初期デジタル信号または別の修正されたデジタル信号とを、１つの単一デジタル組み合わせ信号へと組み合わせる重ね合わせユニット（２４、３０）とを備えて構成され、
前記インカップリング素子が、前記対物レンズ（２０）の上流に設けられ、かつ前記少なくとも１つの音響光学素子（１）から出る前記修正された光を受信するように構成され、前記対物レンズ（２０）が前記インカップリング素子の下流に設けられる、顕微鏡。
【請求項１８】
音響光学可変フィルタＡＯＴＦ（１９）である第１の音響光学素子（１）と、入射光の方向にて前記ＡＯＴＦ（１９）の下流で、かつ結像された対象物から放射または反射された光の方向にて前記ＡＯＴＦ（１９）の上流に設けられた音響光学ビームスプリッタＡＯＢＳである第２の音響光学素子（１）とを備えて構成され、前記ＡＯＢＳが、対象物（２１）から放射または反射された光を、前記結像された対象物（２１）の画像を生成するために検出器（２２）に送信される第１の有用ビーム（５）と廃棄される第２の不用ビーム（６）に分割する、請求項１７に記載の顕微鏡。
【請求項１９】
前記検出器（２２）が、結像される前記対象物（２１）の画像を生成するコンピュータ（３８）に接続される、請求項１８に記載の顕微鏡。
【請求項２０】
前記コンピュータ（３８）が、スキャナ（３６）に送信されるフィードバック信号を発生する、請求項１９に記載の顕微鏡。
【請求項２１】
前記コンピュータ（３８）が、前記デジタルデータ処理ユニット（３５）に接続され、かつそのデジタルデータ処理ユニット（３５）に制御信号を送信するように構成される、請求項１９または２０に記載の顕微鏡。
【請求項２２】
水晶（３）に装着された少なくとも１つのトランスデューサ（２）を有する少なくとも１つの音響光学素子（１）と、前記音響光学素子（１）を通して送信される光を修正する、前記音響光学素子（１）を駆動する少なくとも１つのアナログ電子駆動信号を発生するための駆動ユニットとを備えて構成される音響光学システムであって、前記駆動ユニットが、デジタル組み合わせ信号を発生するための少なくとも１つのデジタルデータ処理ユニット（３５）と、前記デジタル組み合わせ信号を初期アナログ駆動信号に変換する少なくとも１つのデジタル−アナログ変換器（３２）と、前記アナログ電子駆動信号になるように、前記初期アナログ駆動信号を増幅するための増幅器（２５、３３）とを備える、音響光学システムを操作する方法であって、
２つのそれぞれのアナログ信号を表すビットおよびバイトシーケンスからなる少なくとも２つの初期デジタル信号をデジタルフォーマットで計算するステップであって、そのステップでは前記少なくとも２つの初期デジタル信号を１つの単一デジタル組み合わせ信号に重ね合わせること、
前記デジタル組み合わせ信号を初期アナログ駆動信号に変換するステップと、
前記アナログ電子駆動信号になるように前記初期アナログ駆動信号を増幅するステップと、
音波を生成するために前記トランスデューサ（２）を操作するように、前記アナログ電子駆動信号を前記トランスデューサ（２）に送信するステップと、
を備えて構成される方法。
【請求項２３】
１つの単一デジタル組み合わせ信号に組み合わせる前に、前記２つの初期デジタル信号の少なくとも１つを修正することをさらに含む、請求項２２に記載の方法。
【請求項２４】
前記デジタル組み合わせ信号における最大振幅を最小値に低減するように前記２つの信号間の位相シフトを計算することと、前記少なくとも２つの初期デジタル信号の位相を互いに対して修正し、その後、それに応じて前記組み合わせ信号に重ね合わせることとをさらに含む、請求項２３に記載の方法。
【請求項２５】
電子設定または音響光学設定における非線形性を補償するために、前記デジタル組み合わせ信号をアナログ信号に変換する前に、前記デジタル組み合わせ信号を修正することをさらに含む、請求項２３または２４に記載の方法。
【請求項２６】
前記デジタル−アナログ変換器（３２）、前記増幅器（２５）、前記トランスデューサ（２）および前記水晶（３）からなる群のコンポーネントの少なくとも１つにおける温度を測定することと、温度の影響を補償するために、前記デジタル組み合わせ信号をアナログ信号に変換する前に、前記デジタル組み合わせ信号を修正することとをさらに含む、請求項２３〜２５のいずれか一項に記載の方法。
【請求項２７】
光の帯域幅に影響を及ぼすために、前記アナログ駆動信号をチャープすることをさらに含む、請求項２３〜２６のいずれか一項に記載の方法。
【請求項２８】
入力端にて入力光を受信し、かつ出力端から出力光を送信する水晶（３）に装着された少なくとも１つのトランスデューサ（２）を有する少なくとも１つの音響光学素子（１）と、前記音響光学素子（１）を通して送信される光を修正する、前記音響光学素子（１）を駆動する少なくとも１つのアナログ電子駆動信号を発生するための駆動ユニットとを備えて構成される音響光学システムであって、
前記トランスデューサ（２）が、アナログ電子駆動信号を受信し、音波を発生し、かつこれら音波を前記水晶（３）に送信するように構成され、
前記駆動ユニットが、前記トランスデューサ（２）にて２つの異なる周波数の少なくとも２つの異なる音波を発生できるようなアナログ電子駆動信号に変換可能なデジタル組み合わせ信号を発生するためのデジタルデータ処理ユニット（２９）と、前記デジタル組み合わせ信号を初期アナログ駆動信号に変換する少なくとも１つのデジタル−アナログ変換器（３２）と、前記アナログ電子駆動信号になるように、前記初期アナログ駆動信号を増幅するための増幅器（２５、３３）とを備えて構成される、
音響光学システム。
【発明の詳細な説明】
【背景技術】
【０００１】
１つもしくは複数の特定の有用な波長か波長帯域の光をフィルタリングアウトすることによってか、または光を偏向する、すなわち、ある波長か波長帯域を選択的に偏向するかもしくは光ビーム全体を偏向することによって、光に影響を及ぼす効率的な方法を提供するための音響光学システムが周知である。
【０００２】
音響光学素子が、様々な方法で、特に顕微鏡検査の分野で用いられる。例えば、広視野顕微鏡およびレーザ走査顕微鏡の両方において、結像される対象物を照明するための入射光として、ある波長の混合を含むある光を供給することが望ましい。画像の質を向上させるために、入射光ビームにおいて、色の混合、すなわち光の波長を調整することが有用であろう。
【０００３】
共焦点走査顕微鏡検査の分野において、ある波長の強度を調整すること、またはある波長をオンもしくはオフにすることが特に興味深い。特に、共焦点顕微鏡検査または広視野顕微鏡検査のどちらでもよい蛍光顕微鏡検査の分野において、結像される対象物の所望の画像を生成するように検出および使用される光の蛍光放射を達成するために特定の波長で染料を励起することが重要である。多色画像を取得するために、対象物が異なる放射波長の染料で染色される場合に、いくつかの波長が、特に必要とされる。
【０００４】
様々なタイプの顕微鏡検査において、例えば誘導放出抑制顕微鏡検査（ＳＴＥＤ）、すなわち、第１の波長の光が、蛍光団の励起用に使用され、一方で第２の波長の光が、より高い解像度の画像を取得するために、有効に励起されたスポットを狭めるように、励起しているスポットの一部における蛍光団の励起状態を抑制するために用いられる誘導放出抑制顕微鏡検査（ＳＴＥＤ）の分野で、１を超える波長が必要とされる。いくつかの別個の波長の光を用いる顕微鏡検査の他の分野は、ラマン顕微鏡検査、コヒーレント反ストークスラマン顕微鏡検査（ＣＡＲＳ）およびＳＲＳ顕微鏡検査である。
【０００５】
要約すると、広帯域光もしくは線スペクトル光または別個の波長のレーザ光のフィルタリング、偏向、およびビーム分割の様々な機能が、顕微鏡において音響光学素子によって実行されることが多い。かかる音響光学素子用の例として、音響光学可変フィルタ（ＡＯＴＦ）、音響光学変調器（ＡＯＭ）、音響光学偏向器（ＡＯＤ）、音響光学ビームスプリッタ（ＡＯＢＳ）、および音響光学ビームマージャ（ＡＯＢＭ）がある。
【０００６】
顕微鏡検査の分野において用いられる全ての様々な音響光学素子のうち、音響光学可変フィルタ（ＡＯＴＦ）は、最も普通に用いられるが、しかしまたＡＯＴＦを含む音響光学ビームスプリッタ（ＡＯＢＳ）が、顕微鏡検査の分野において用いられる。これらのタイプの音響光学素子は、光全体に影響を及ぼす例えばＡＯＭ、ＡＯＤおよび周波数シフタとは対照的に、特定の波長の光に影響を及ぼす。
【０００７】
音響光学素子の基本構造には、水晶および水晶に装着されたトランスデューサが含まれる。トランスデューサは、典型的には３０Ｍｈｚ〜８００Ｍｈｚの無線周波数範囲における電子信号を受信するように構成される。トランスデューサは、電子信号に従って物理的に収縮および拡張することによって、電子信号を音響信号に変換する。水晶は、音響信号に従って物理的に発振し、したがって特定の波長の光を選択的に偏向する光回折格子の光学的等価物を形成する。特にＡＯＴＦにおいて、水晶の特性は、各音響波長が、特定の光波長だけ、または特に例えば約３ｎｍの狭い光波長帯域幅を偏向することに帰着し、一方でそれぞれの音響周波数に正確に相関する波長だけが１００パーセント偏向されるのに対して、狭い３ｎｍ帯域内の隣接波長が、より低い割合、例えば５０パーセントだけ偏向されることである。
【０００８】
音響光学素子の典型的な使用には、トランスデューサを駆動する電子駆動信号を修正することと、したがってトランスデューサによって経時的に生成される音響信号、主に、信号強度を経時的に変化させるための、およびしたがって様々な所望の特定の波長における偏向された光の強度を経時的に変調するための振幅変調を修正することと、が含まれる。
【０００９】
いくつかの周波数に同時に影響を及ぼすために、ただ１つの水晶およびただ１つのトランスデューサによっていくつかの波長に影響を及ぼすことが望ましい場合に、無線周波数範囲における電子信号は、１つの信号に組み合わされるかまたは重ね合わされなければならない。様々な電波周波数が、先行技術において、例えば、発振器周波数が電圧入力によって制御される電圧制御発振器（ＶＣＯ）のような発振回路によって発生される。典型的に用いられる他のタイプの発振器は、位相ロックループ発振器（ＰＬＬ）またはダイレクトデジタルシンセサイザ（ＤＤＳ）である。これらの周波数発生器の全ては、それらがアナログ信号を発生し、次にこのアナログ信号が、前述のように、典型的には振幅変調されるという点で共通している。例えば、ＡＯＴＦにおいて、周波数は、特定の波長に相関し、かつ周波数は、各波長に影響を及ぼすために、それぞれの周波数発生器を必要とし、波長の最大値は、周波数発生器の数によって決定される。それは、特に蛍光顕微鏡検査の分野において、重大な制約である。なぜなら、追加的な励起波長へ使用を拡張することが、それぞれの数の周波数発生器を設けることを必要とするからである。別の欠点は、非線形性を補償するのが難しいことである。
【００１０】
波長ではなく、いくつかの無線周波数が組み合わされる場合、特にいくつかの周波数のアナログ電子信号が重ね合わされる場合、すなわち１つの組み合わせ信号に組み合わされる場合に、最大振幅は、組み合わされた信号の数と共に増加し、より程度の高い非線形性に帰着する。重ね合わせが強度を増加させるので、システムは、ますます非線形性の領域に入る。そうならこれは、多くの場合にクロストークと見なされる。なぜなら、異なる無線周波数が互いに影響を及ぼすようにユーザに見えるからである。それぞれの特定の周波数に関する結果は、１つの単一波長だけを用いることと比較して、より低い音響信号がトランスデューサによって発生されるということである。換言すれば、異なる波長のより多くの信号が重ね合わされるほど、それだけ個別波長の信号強度がある程度低下し、システムの非線形応答に帰着する。すなわち、発生される音波の強度は、電子信号強度の線形関数ではない。先行技術における全ての周波数が、個別周波数発生器によって発生され、次に振幅が個別振幅変調器によって変調されるので、かかるクロストークを補償するのは難しい。なぜなら、それは、それぞれの振幅変調器と組み合わせて他の周波数発生器による信号強度に関する情報の検出を必要とすることになるからである。それは、たとえかかる情報が検出されても、データ処理および次にそれぞれの個別振幅変調器に情報をフィードバックすることを必要とし、その結果、「実時間」補償は不可能であり、信号強度の検出、ならびに他の周波数発生器、すなわちそれらのそれぞれの振幅変調器と組み合わせた他の周波数発生器、および次にこの情報のデータ処理に起因する時間遅延を伴ってのみ可能である。
【００１１】
その結果、先行技術において、比較的低強度の信号だけが重ね合わされ、増幅器およびトランスデューサの両方とも、線形領域においてのみこれらの信号を操作するために適切な大きさにされる。すなわち、増幅器およびトランスデューサの両方とも、比較的強力になるような大きさにされ、かつ線形領域内に留まるためには、それらのほんのわずかな能力でのみ操作される。これは、それらのより強力なコンポーネントのより高い価格ゆえに著しい費用劣位を有するだけでなく、高い構造次元、放散させる必要のある発生熱、高エネルギ消費、および不注意な過度の増幅という出来事の場合には音響光学素子の水晶を損傷または破壊さえする危険のような他の技術的困難を引き起こす。
【００１２】
一般に、いくつかの重ね合わされた信号の場合に最大振幅をより低いレベルに維持する別の可能性は、それらを重ね合わせる前に互いに対して様々な信号の位相を制御すること、すなわち、好ましくは、他の信号のいずれかまたはいくつかとは異なる位相で組み合わされる各信号を有することである。再び、周波数発生器およびそれらのそれぞれの振幅変調器が、先行技術では個別の素子であるので、これは、様々な位相の検出、および次にそれらの調整を必要とすることになろうが、それは、実時間で行うことはできず、高価な検出およびデータ処理ユニットを必要とすることになろう。
【００１３】
先行技術における別の問題は、特に、異なる波長の光に影響を及ぼす異なる使用法のためにより多くの周波数を追加するための柔軟性が望ましい場合における、多数の周波数発生器および振幅変調器のような過剰な数の電子素子である。
【発明の概要】
【発明が解決しようとする課題】
【００１４】
本発明の目的は、２以上の信号を処理できる音響光学システム用のコストを低減することである。
【００１５】
別の目的は、１つの駆動信号に組み合わされる発生された信号の様々な周波数に関して一層の柔軟性を可能にすることである。
【００１６】
本発明の別の目的は、音響光学システムのエネルギ消費を低減することである。
【００１７】
本発明の別の目的は、電子コンポーネントの総数を低減することである。
【００１８】
本発明の別の目的は、電子コンポーネントをサイズおよび能力において低減し、コストをさらに低減し、かつ過剰寸法のコンポーネントに起因する技術的問題を回避することである。
【課題を解決するための手段】
【００１９】
本発明の前述および他の目的は、入力端において入力光を受信し、かつ出力端から出力光を送信する水晶に装着された少なくとも１つのトランスデューサを有する少なくとも１つの音響光学素子であって、トランスデューサが、アナログ電子駆動信号を受信し、音波を発生し、かつこれらの音波を水晶に送信するように構成された少なくとも１つの音響光学素子と、音響光学素子を通して送信される光を修正する音響光学素子を駆動する少なくとも１つのアナログ電子駆動信号を発生するための駆動ユニットであって、トランスデューサにおいて２つの異なる周波数の少なくとも２つの異なる音波を発生できるようなアナログ電子駆動信号に変換可能なデジタル組み合わせ信号を発生するためのデジタルデータ処理ユニットと、デジタル組み合わせ信号を初期アナログ駆動信号に変換する少なくとも１つのデジタル−アナログ変換器と、前記アナログ電子駆動信号になるように初期アナログ駆動信号を増幅するための増幅器と、を含む前記駆動ユニットと、を含む音響光学システムにより、本発明の第１の態様に従って達成される。
【００２０】
本発明の前述および他の目的は、入力端において入力光を受信し、かつ出力端から出力光を送信する水晶に装着された少なくとも１つのトランスデューサを有する少なくとも１つの音響光学素子であって、トランスデューサが、アナログ電子駆動信号を受信し、音波を発生し、かつこれらの音波を水晶に送信するように構成された少なくとも１つの音響光学素子と、音響光学素子を通して送信される光を修正する音響光学素子を駆動する少なくとも１つのアナログ電子駆動信号を発生するための駆動ユニットであって、デジタル組み合わせ信号を発生するためのデジタルデータ処理ユニットであって、少なくとも２つの初期デジタル信号を計算および発生するためのデジタル周波数計算ユニットであって、２つの初期デジタル信号のそれぞれが、トランスデューサによって特定の音響周波数を発生するための基礎を形成するデジタル周波数計算ユニット、および少なくとも２つの初期デジタル信号を１つの単一デジタル組み合わせ信号に組み合わせる重ね合わせユニットを含むデジタルデータ処理ユニットと、デジタル組み合わせ信号を初期アナログ駆動信号に変換する少なくとも１つのデジタル−アナログ変換器と、前記アナログ電子駆動信号になるように、初期アナログ駆動信号を増幅するための少なくとも１つの増幅器と、を含む駆動ユニットと、を含む音響光学システムにより、本発明の第２の態様に従って達成される。
【００２１】
本発明の第３の態様によれば、前述の目的は、本発明の前述の音響光学システムおよびさらに結像される対象物にわたって光を走査するためのスキャナ、ならびに対物レンズを含む共焦点顕微鏡であって、スキャナが、対物レンズの上流に設けられ、かつ少なくとも１つの音響光学素子から出る修正された光を受信するように構成され、対物レンズがスキャナの下流に設けられた共焦点顕微鏡と、２つのデジタル信号を重ね合わせる前に初期デジタル信号の少なくとも１つを修正するための修正ユニットと、によって達成される。
【００２２】
本発明の第４の態様によれば、前述の目的は、水晶に装着された少なくとも１つのトランスデューサを有する少なくとも１つの音響光学素子と、音響光学素子を通して送信される光を修正する音響光学素子を駆動する少なくとも１つのアナログ電子駆動信号を発生するための駆動ユニットであって、デジタル組み合わせ信号を発生するための少なくとも１つのデジタルデータ処理ユニットと、デジタル組み合わせ信号を初期アナログ駆動信号に変換する少なくとも１つのデジタル−アナログ変換器と、前記アナログ電子駆動信号になるように初期アナログ駆動信号を増幅するための増幅器と、を含む駆動ユニットと、を含む音響光学システムを操作する方法であって、２つのそれぞれのアナログ信号を表すビットおよびバイトシーケンスからなる少なくとも２つの初期デジタル信号をデジタルフォーマットで計算することと、少なくとも２つの初期デジタル信号を１つの単一デジタル組み合わせ信号に重ね合わせることと、デジタル組み合わせ信号を初期アナログ駆動信号に変換することと、アナログ電子駆動信号になるように初期アナログ駆動信号を増幅することと、音波を生成するためにトランスデューサを操作するように、アナログ電子駆動信号をトランスデューサに送信することと、を含む前記方法によって達成される。
【００２３】
本発明による音響光学システムの好ましい実施形態によれば、修正ユニットは、少なくとも１つのトランスデューサによって、異なる位相の特定の音響周波数を発生するための基礎を形成する２つの修正されたデジタル信号へと２つの初期デジタル信号を修正するように構成される。特に、２つを超える初期デジタル信号を組み合わせる場合に、個別信号の位相を互いに対してシフトすることは、最大振幅を低く保つことに役立つ。互いに対する個別信号の位相シフトが非常に有益である他の理由は、セグメント化されたトランスデューサの場合である。いくつかの用途にとって、少なくとも２つの個別信号の周波数が同じであり、一方で例えばセグメント化されたトランスデューサの場合に、位相が互いに対してシフトされている場合には有益でさえあり得る。しかしながら、ほとんどの場合に、トランスデューサを駆動するために１つの信号に組み合わされる個別信号の周波数は、例えば異なる波長の光に影響を及ぼすように、異なる周波数である。
【００２４】
個別デジタル信号の振幅を修正することが好ましいけれども、それらを、経時的に変化する振幅に対して最初から計算することが可能である。すなわち、修正された振幅である。さらに、増幅器によって振幅を修正することが可能である。しかしながら、増幅器によって振幅を修正することだけでは、振幅をデジタル的に修正することほど有利ではない。なぜなら、デジタル変調は、信号がアナログ信号に変換される前でさえ、より速く実時間で達成できるからである。他方で、デジタル−アナログ変換器を出た信号が十分に強いか、またはデジタル−アナログ変換器が内蔵増幅器を含む場合に、システムはまた、他の場合にはデジタル−アナログ変換器の下流に設けられることになる別個の増幅器なしに操作可能である。
【００２５】
本発明による音響光学システムの好ましい実施形態によれば、デジタルデータ処理ユニットには、さらに、アナログ電子駆動信号に依存する音響応答における非線形性を補償するために信号を修正するための補償ユニットが含まれる。非線形性は、増幅器、トランスデューサおよび結局は水晶を通してインピーダンスを調整するプリント回路板上で、デジタル−アナログ変換器から信号列全体において発生する可能性がある。補償が、信号をアナログ信号に変換する前にデジタル的に実行されるので、かかる補償は、実時間において実行することができる。システムの非線形応答の主な理由は、いくつかの周波数のいくつかの信号を重ね合わせて、各個別周波数用の信号強度をある程度低減することである。アナログ電子駆動信号をトランスデューサに供給する前に、デジタル−アナログ変換器の背後または回路基板の背後においてさえ補償に備えることが可能であろう。補償の最終目標は、所望の音響応答を生成すること、すなわち、光に影響を及ぼす、例えば有用なビームとして特定の波長または波長帯域幅を偏向する所望のレベルにとって望ましい強度の音波を供給することである。
【００２６】
本発明による音響光学システムの好ましい実施形態によれば、システムには、さらに、デジタル−アナログ変換器、増幅器、ＡＯ水晶およびトランスデューサの温度の少なくとも１つを測定し、かつアナログ電子駆動信号における、温度に基づいた偏差を補償するために、温度に基づいた制御信号を補償ユニットに供給する温度センサが含まれる。温度に対する偏差のかかる補償は、クロストークを克服する補償に加えて実行することができる。
【００２７】
本発明による音響光学システムの好ましい実施形態によれば、システムには、ただ１つの音響光学素子の水晶に両方とも装着された少なくとも第１および第２のトランスデューサであって、第１のトランスデューサが、第１の周波数の第１の音響信号を音響光学素子の水晶に送信するように構成され、第２のトランスデューサが、第２の周波数の第２の音響信号を音響光学素子の水晶に送信するように構成された少なくとも第１および第２のトランスデューサが含まれる。重ね合わせることができ、かつ第１および第２のトランスデューサに送信できる信号の数は、基本的に無制限であるが、しかし実際には、非線形性ゆえに、いくつかの制約を見出すことが可能である。全く同一の水晶上に２つの異なるトランスデューサを設けることは、上記のような補償に加えて、この問題の回避を支援することができる。
【００２８】
本発明による音響光学システムの好ましい実施形態によれば、音響光学システムには、水晶および水晶に装着されたトランスデューサをそれぞれ有する少なくとも第１および第２の音響光学素子であって、第１の音響光学素子のトランスデューサが、第１の周波数の第１の音響信号を第１の音響光学素子の水晶に送信するように構成され、第２の音響光学素子のトランスデューサが、第２の周波数の第２の音響信号を第２の音響光学素子の水晶に送信するように構成された少なくとも第１および第２の音響光学素子が含まれる。このシステム、例えば、２つの音響光学素子が、互いに独立して駆動される必要がある場合に、有用になり得る。したがって、本発明による音響光学システムの好ましい実施形態によれば、第１の音響光学素子は、第２の音響光学素子と異なる。
【００２９】
本発明による音響光学システムの好ましい実施形態によれば、少なくとも１つの音響光学素子は、ＡＯＴＦ、ＡＯＭ、ＡＯＤ、ＡＯＢＳ、ＡＯＢＭ、および周波数シフタからなる群から選択される。特に、本発明による音響光学システムの好ましい実施形態によれば、第１の音響光学素子はＡＯＴＦであり、第２の音響光学素子はＡＯＢＳである。
【００３０】
本発明による音響光学システムの好ましい実施形態によれば、音響光学素子によって修正される光は、波長の広域連続スペクトルを発生する広帯域光源によって発生される。好ましくは、広帯域光源は、スーパーコンティニューム光源（supercontinuum light source）、短パルスレーザ、スーパールミネセンス光源（superluminescence light source）、およびＬＥＤ光源からなる群の１つである。また、日光が、高輝度ビームにくくることができる選択肢である。好ましい実施形態に従って光の帯域幅をフィルタリングアウトするために、アナログ電子駆動信号は、光の帯域幅に影響を及ぼすようにチャープされる（chirped）。
【００３１】
本発明による音響光学システムの好ましい実施形態によれば、音響光学素子によって修正される光は、１つもしくは複数の特定の波長または１つもしくは複数の狭い波長帯域の少なくとも１つにおける光を発生する線スペクトル光源によって発生される。
【００３２】
本発明による顕微鏡の好ましい実施形態において、この顕微鏡には、音響光学可変フィルタ（ＡＯＴＦ）である第１の音響光学素子と、入射光の方向においてＡＯＴＦの下流に、および結像された対象物から放射または反射された光の方向においてＡＯＴＦの上流に設けられた音響光学ビームスプリッタ（ＡＯＢＳ）である第２の音響光学素子であって、ＡＯＢＳが、対象物から放射または反射された光を、結像された対象物の画像を生成するために検出器に送信される第１の有用なビームおよび廃棄される第２の不用ビームに分割する第２の音響光学素子が含まれる。かかる顕微鏡は、例えば走査顕微鏡、特に蛍光走査顕微鏡であってもよいが、しかしこの好ましい実施形態はまた、広視野顕微鏡またはＳＴＥＤ顕微鏡などの特に高解像度の顕微鏡に適用することができる。
【００３３】
トランスデューサを駆動するための発生されたアナログ電子信号は、典型的には高調波であるが、しかし同様に異なる形状、例えば矩形信号であってもよい。矩形信号は、最大強度におけるただ１つの特定の波長ではなく、最大強度を備えた、例えば３ｎｍの特定の波長の帯域幅と、例えばわずか５０パーセントのより低い強度におけるその狭い帯域内の他の波長と、をフィルタリングするという利点を提供する。その狭い帯域幅内の全ての波長に対して最大強度を受信することは、特定の用途が、例えば特定の染料を励起するために、基本的に十分な所望の効果で、ある帯域幅を許容する場合には有益であり得る。そのような場合に、帯域幅全体の１００パーセントを受信することが望ましい。なぜなら、それが、有用な光の総強度を増加させるからである。
【００３４】
デジタル−アナログ変換器用のクロック周波数は、ナイキスト周波数より高い必要がある。デジタル周波数計算ユニット、デジタル修正ユニット、重ね合わせユニット、および任意選択の補償ユニットを含むユニットの群全体を好ましくは実現可能なデジタルデータ処理ユニットは、計算クロック周波数が並列にスケジューリングされるように構成される。トランスデューサは、典型的には、５０〜１５０ＭＨｚの周波数範囲で操作されるが、しかし１０ＭＨｚ〜２ＧＨｚほどの広さの変化があってもよい。このユニットのデジタル周波数計算ユニット、デジタル修正ユニット、重ね合わせユニット、および任意選択の補償ユニットは、必ずしも全く同一のデジタルデータ処理ユニットに設ける必要はないが、しかしそれは、電子コンポーネント数を低減するための、および計算クロック周波数を並列処理するための特に好ましい実施形態である。
【００３５】
本発明による顕微鏡の好ましい実施形態において、検出器は、結像される対象物の画像を生成するコンピュータに接続される。
【００３６】
本発明による顕微鏡の好ましい実施形態において、コンピュータは、スキャナに送信されるフィードバック信号を発生する。
【００３７】
本発明による顕微鏡の好ましい実施形態において、コンピュータは、デジタルデータ処理ユニットに接続され、かつそのデジタルデータ処理ユニットに制御信号を送信するように構成される。
【００３８】
音響光学システムを操作する本発明の好ましい方法には、デジタル組み合わせ信号における最大振幅を最小値に低減するように２つの信号間の位相シフトを計算することと、少なくとも２つの初期デジタル信号の位相を互いに対して修正し、その後、それに応じて組み合わせ信号に重ね合わせることと、が含まれる。
【００３９】
音響光学システムを操作する本発明の好ましい方法には、トランスデューサにおける非線形性を補償するために、デジタル組み合わせ信号をアナログ信号に変換する前に、デジタル組み合わせ信号を増大させることが含まれる。
【００４０】
音響光学システムを操作する本発明の好ましい方法には、デジタル−アナログ変換器、増幅器、トランスデューサ、および水晶の少なくとも１つにおける温度を測定することと、温度の影響を補償するために、デジタル組み合わせ信号をアナログ信号に変換する前にデジタル組み合わせ信号を増大させることと、が含まれる。
【００４１】
音響光学システムを操作する本発明の好ましい方法には、光の帯域幅に影響を及ぼすために、アナログ駆動信号をチャープすることが含まれる。
【図面の簡単な説明】
【００４２】
【図１】本発明の第１の実施形態のブロック図を示す。
【図２】デジタル修正ユニットをさらに含む本発明の第２の実施形態のブロック図を示す。
【図３】デジタル修正ユニットおよびデジタル補償ユニットをさらに含む本発明の第３の実施形態のブロック図を示す。
【図４】アナログ電子信号の強度にわたって電子および／または音響システムの応答における非線形性を表す図を示す。
【図５】図３に示す実施形態に従って、トランスデューサを制御する実線のアナログ電子信号、および補償ユニットによって補償された補償アナログ電子信号の図を示す。
【図６】本発明における代替の第３の実施形態のブロック図を示す。
【図７】本発明における代替の第４の実施形態のブロック図を示す。
【図８】共焦点走査顕微鏡において第４の実施形態を実現する、本発明による顕微鏡を示す。
【図９】先行技術による第１の音響光学素子の概略透視図を示す。
【図１０】図９に示す音響光学素子の概略側面図を示す。
【図１１】先行技術によるセグメント化されたトランスデューサを含む第２の音響光学素子の概略透視図を示す。
【図１２】図１１に示す音響光学素子の概略側面図を示す。
【図１３】先行技術による音響光学素子を用いる共焦点顕微鏡の構造を表すブロック図を示す。
【図１４】先行技術による音響光学システムを示す。
【発明を実施するための形態】
【００４３】
図９は、先行技術による第１の音響光学素子１の概略的透視図を示す。音響光学素子１には、水晶３に装着されたトランスデューサ２が含まれる。光は、矢印４によって概略的に示すように水晶３の中へ透過され、２つの別個のビームで水晶を出る。音響光学システムは、任意のタイプとすることができるが、下記において、特にＡＯＴＦが、特に顕微鏡において広く用いられる１つの重要なタイプの音響光学素子として、好ましい実施形態で示されている。ＡＯＴＦにおいて、特定の波長、または例えば３ｎｍの帯域幅を備えた狭い波長帯域の有用なビーム５、および偏向されずに水晶を出る不用ビーム６が発生される。電子信号が、いくつかの電子コンポーネント９を含む電子回路基板８へと、同軸ケーブル７を介して送信される。電子回路基板８において、インピーダンスの調整が、同軸ケーブル７と異なるインピーダンスを含むトランスデューサ２に電子信号を送信する前に行われる。第１のボンドワイヤ１１が、トランスデューサ２の陰極に接続され、第２のボンドワイヤ１２が、トランスデューサ２の陽極に接続される。この実施形態において、ボンドワイヤ１１および１２は、電子コンポーネントを含む中間回路基板を介して同軸ケーブル７に接続される。具体的には、第１のボンドワイヤ１１は、同軸ケーブルの外側導体に接続され、第２のボンドワイヤ１２は、同軸ケーブル７の内側導体に接続される。トランスデューサに送信されたアナログ電子信号に従って、音波が、水晶３に送信されて、次のような方法、すなわち、光学格子が、水晶内で効果的に発生され、特定の音響波長に相関する特定の波長の光を水晶３内で偏向するような方法で水晶を発振させ、その光を、矢印５によって示すように有用なビームとして出力する。
【００４４】
図１０は、音響光学素子１、特に水晶３、および水晶３に装着されたトランスデューサ２の側面図を示す。トランスデューサ２には、実質的に３つの層、すなわち水晶３に直接装着された金属層の形態をした、トランスデューサ２の陰極１３と、水晶３から最も離れた層である別の金属層の形態をした陽極１４と、陰極１３と陽極１４との間に挟まれた圧電層１５と、が含まれる。図９に関連して説明したように、ボンドワイヤ１１は、陰極１３に接合され、一方でボンドワイヤ１２は、陽極１４に接合される。圧電層１５の圧電材料は、例えばニオブ酸リチウムとすることができ、一方で水晶が作られる材料は、二酸化テルルとすることができる。
【００４５】
図１１は、図９に示す実施形態の変形、すなわち、トランスデューサがセグメント化され、かつこの実施形態では２ａ、２ｂ、２ｃ、２ｄおよび２ｅで示された５つのトランスデューサセグメントを含むという点における変形を示す。したがって、いくつかの同軸ケーブル７ならびにボンドワイヤ１１および１２が設けられる。セグメント化されたトランスデューサを用いることによって、トランスデューサの駆動に関して、例えば、異なる位相の信号を用いたセグメントの駆動に関して一層の柔軟性が可能になる。
【００４６】
図１２は、図１０と似ているが、しかし図１１に示すセグメント化された音響光学素子の側面図を示す。図示のように、両方の層、すなわち陰極層１３ａ、１３ｂ、１３ｃ、１３ｄ、１３ｅおよび陽極層１４ａ、１４ｂ、１４ｃ、１４ｄ、１４ｅは、セグメント化され、一方でセグメント化された電極層間に挟まれた圧電層１５は、セグメント化されない。セグメント化されたトランスデューサを設けるために、陰極層１３および陽極層１４の一方をセグメント化する必要があるだけであることに留意されたい。しかしながら、図１２に示すように、それらの両方をセグメント化することも同様に可能である。セグメント化されたトランスデューサが、例えば、本発明と共通の発明者による米国特許出願公開第２０１０／００５３７２５号明細書に示されており、その米国特許出願の内容は、これにより、参照によって援用される。
【００４７】
図１３は、少なくとも１つの音響光学可変フィルタ（ＡＯＴＦ）および音響光学ビームスプリッタ（ＡＯＢＳ）を用いる共焦点顕微鏡の構造を概略的に示す。制御ユニット１６が、制御信号を発生して、周波数発生器１７を制御する。レーザ光源１８が、レーザ光をＡＯＴＦ１９に送るが、ＡＯＴＦ１９は、共焦点顕微鏡の光学系を通して混合されて対物レンズ２０を通して対象物２１に至る入射光として望ましい波長の光を切り離す。対象物２１から反射または放射された光は、逆に対物レンズ２０を通ってＡＯＢＳに移動し、そこで有用なビームが、対象物の画像を生成するための望ましい光を検出する検出器２２に到達できるようにされる。
【００４８】
図１４は、先行技術による音響光学システムを示し、特に、音響光学素子を駆動するためのアナログ電子信号を発生する先行技術の駆動ユニットの構造を示す。この先行技術の例では、８つの周波数発生器ＦＧ１−ＦＧ８が設けられて、８つの振幅変調器ＡＭ１−ＡＭ８によって振幅変調される信号を供給し、８つの周波数発生器ＦＧ１−ＦＧ８および８つの振幅変調器ＡＭ１−ＡＭ８からの信号は、集合的に２３で示されたアナログ乗算器によって乗算される。アナログ乗算器を出た信号は、重ね合わせユニット２４において１つの単一組み合わせ信号に組み合わされ、この組み合わせ信号は、増幅器２５に送信され、増幅器２５は、例えば図９−１２でより詳細に説明したように、組み合わせ信号を音響光学素子に送信する。
【００４９】
図９−１２における音響光学素子の基本特性および構造、図１３における共焦点顕微鏡の基本構造、ならびに音響光学素子を駆動するためのアナログ電子信号を供給する、図１４における先行技術駆動装置の設計および機能を上記で説明したので、下記では本発明の実施形態を説明する。
【００５０】
本発明の第１の実施形態を図１に示す。データ処理ユニット３５内のデジタル周波数計算ユニット２６が、第１のデジタル信号２７および第２のデジタル信号２８を計算する。両方のデジタル信号とも、特定の周波数、振幅、および位相のアナログ信号を表す、デジタルフォーマット形態のビットおよびバイトシーケンスによって表されるが、しかし特に必ずしも高調波発振ではない。データ処理ユニット内で既に計算された初期デジタル信号が、異なる位相および異なる振幅であることもまた可能である。さらに、２つの異なる信号２７および２８は、特定の使用、例えば特定のタイプ顕微鏡検査に依存し、必要に応じて任意の数になり得る複数の信号、例えば３、４または５つの異なる信号を単に表していると理解されたい。
【００５１】
次に、少なくとも２つの信号は、重ね合わせユニット３０において重ね合わされる。再び、これは、両方のデジタル信号のビットおよびバイトシーケンスを加算することによって、デジタル的に実行される。重ね合わせユニットによって発生されるデジタル信号は、重ね合わせアナログ信号３１を表す。しかしながら、たとえこの重ね合わせアナログ信号３１をデジタル的に表しても、デジタル重ね合わせユニットからの出力が、やはりデジタルビットおよびバイトシーケンスであり、デジタル−アナログ変換器３２において処理された後で重ね合わせデジタル信号３１になるだけであることに留意されたい。増幅器３３は、重ね合わせアナログ信号３１を増幅する。次に、増幅された信号は、回路基板８を介して、音響光学素子１５のトランスデューサ２に送信される。音響光学素子の構造は、図９−１２で詳細に説明した。
【００５２】
図１に示す実施形態を、図１４で説明したような先行技術と比較すると、本発明が、多くの利点を提供することが明白になる。第１に、データ処理ユニット２６によって発生することができ、次に重ね合わせユニット３０によって重ね合わせることができる異なる波長および周波数の信号数は、基本的に無制限であり、デジタル−アナログ変換器３２のダイナミックレンジによってか、または１つの信号に重ね合わされる異なる周波数における個別の計算された信号間のクロストークを制限したいという望みによって制限されるだけである。クロストークとして知覚される非線形性の問題を克服することは、図３に示す本発明の実施形態において取り組まれる。さらに、異なる周波数を表すデジタル信号が計算されるので、周波数は、自由に選択することができる。すなわち、周波数は、ただ１つの特定の周波数をそれぞれ発生できる図１４に示す周波数発生器ＦＧ１−ＦＧ８によって制限されない。周波数の自由選択は、例えば、特定の顕微鏡を製造する場合に考慮されなかった可能性がある異なる染料または新しく開発された染料を用いるために、蛍光顕微鏡用に特に望ましい。
【００５３】
より高い柔軟性に加えて、電子コンポーネント数を著しく低減できることがまた明白になる。すなわち、図１４による先行技術の例に示すように、８つの周波数発生器ＦＧ１−ＦＧ８、８つの振幅変調器ＡＭ１−ＡＭ８、８つのアナログ乗算器２３、および１つの重ね合わせユニットを有する代わりに、本発明には、ただ１つのデータ処理ユニット、すなわち１つのデジタル周波数計算ユニット、１つのデジタル重ね合わせユニット、および１つのデジタル−アナログ変換器が実現されるただ１つのデータ処理ユニットが含まれる。電子コンポーネント数の著しい低減は、これらのコンポーネント用のコストを節約することとは別に、駆動ユニット全体のエネルギ消費およびその全体的な複雑さを低減する。
【００５４】
データ処理ユニットとして、プログラマブル論理を含むフィールドプログラマブルゲートアレイ（ＦＰＧＡ）ユニットを用いるのが望ましい。この場合に、同じＦＰＧＡユニットにおける図３に示す実施形態を参照することによって以下でより詳細に説明するように、加算器、乗算器およびルックアップテーブルをそのＦＰＧＡユニットに実現することによって、デジタル周波数計算ユニット、修正ユニット、および重ね合わせユニット、ならびに存在する場合には補償ユニットを実現し、この組み合わせにより電子コンポーネント数をさらに低減することが容易に可能である。代替において、ＤＳＰユニットまたは特定用途向け集積回路（ＡＳＩＣ）などの異なる電子コンポーネントを用いることもまた可能である。
【００５５】
図２に示す本発明の実施形態において、さらに、デジタル修正ユニット２９が、デジタル周波数計算ユニット２６とデジタル重ね合わせユニット３０との間に設けられる。２つの初期デジタル信号が発生された後で、これらの信号は修正ユニット２９に送信され、そこにおいて一方または両方の初期デジタル信号の振幅か、位相か、または振幅および位相の両方が修正される。図１に示す実施形態が例示するように、かかる修正ユニット２９は、例えばデジタル周波数計算ユニットが、異なる信号を計算し、それらを修正可能な場合には、絶対に必要ではないが、しかし好ましい実施形態によれば、修正ユニットにおいて振幅を修正することによって、特に、電子アナログ信号および結局は発生される音響信号の強度が影響され、したがって特定の波長の光が影響されるかどうか、およびどれほど強く影響されるかが達成される。位相を修正することは、主として重ね合わせ信号の最大振幅に影響を及ぼす。位相を修正することの別の利益は、図１１および１２で説明したようなセグメント化されたトランスデューサにとって、全てのセグメントが同じ位相で駆動されることを保証することであり得る。修正が、やはりデジタル的に実行されること、すなわち、ビットおよびバイトシーケンスに帰着し、音響光学素子のトランスデューサを駆動するために結局は必要とされるアナログ信号にまだ帰着するのではないことに留意されたい。修正は、実時間で、すなわち計算ユニットが可能にする限り速く、かつトランスデューサを駆動する前に実行される。すなわち、修正は、どんな閉ループ制御にも起因するであろうような時間遅延にさらされない。
【００５６】
図３に示す実施形態は、さらに補償ユニット３４が設けられる点で、図１および２に示す実施形態と異なる。他の全てのコンポーネントは、図１に示す実施形態と比較して同一である。さらに、修正ユニットからもたらされる信号２７、２８は、表示目的で、両方の信号の位相が１８０度だけオフセットされ、一方で両方の信号２７、２８の振幅および周波数が同じであるように、位相およびその振幅の両方において修正された１つの信号として示される。再び、信号がデジタルであること、すなわち数列の形態を有し、一方で表示目的で図面に示された信号が、この数列が表すアナログ信号であることを理解されたい。
【００５７】
補償ユニットの目的は、デジタル−アナログ変換器ＤＡＣ、増幅器、トランスデューサ２、および水晶のような様々なコンポーネントにおいて、より高い信号強度で発生する非線形性を回避または少なくとも縮小することであり、かつまた音響光学素子の水晶における温度差またはデジタル−アナログ変換器および増幅器の温度などの非線形性の他の原因を考慮する。温度は、必要とされる無線周波数に主に影響を及ぼすが、しかしまた必要とされる信号強度にも影響を及ぼす。
【００５８】
非線形性は、図４に示す図に表されている。理想的には、トランスデューサにおいて発生される音響信号は、デジタル−アナログ変換器３２において発生され、かつ増幅器３３によって増幅されるアナログ信号の線形関数である。しかしながら、特に、いくつかの信号が重ね合わされる場合に、重ね合わされる個別信号の位相が、最大振幅を低く維持するように制御されない場合にはさらに一層、トランスデューサは、望ましく、かつ理論的に予想されるよりも低い強度の信号を生成する。望ましい線形グラフが、図４に破線で示され、一方で発生される実際の音響信号は、低い強度において短い距離にわたってのみ、望ましい線形グラフと一致する。補償ユニット３４は、この非線形性を補償することができ、図５に破線において示された経時的なデジタル−アナログ変換器出力によって示すように、デジタル−アナログ変換器出力信号を増大させることができる。図５における実線は、補償が実行されていない場合における出力を示す。図５から明白になるように、補償は、特に振幅が高い場所で起こり、したがって音響信号は、図４に破線で示す理想的な線形グラフより下に留まる。デジタル補償ユニットの好ましいバージョンにおいて、非線形性の知識（図４を参照）に基づいた補正表が、補正用に使用されるが、しかし計算に基づいた補正法も同様に可能である。補償ユニットは、初期アナログ駆動信号への、デジタル−アナログ変換器における変換の前に、信号をデジタル的に補償し、かつ過大なトランスデューサおよび過大な増幅器を回避できるようにする。過大サイズの回避は、より小さく、したがって低コストの音響光学素子の使用、より小さな増幅器およびデジタル−アナログ変換器の使用を可能にして一層のコスト削減を結果としてもたらし、かつ電子コンポーネントに関する著しい節約とは別に、これらのコンポーネントのエネルギ消費もまた削減する。これらの利点とは別に、より小さな増幅器の他の利点は、特定の使用のためのシステム設定中に音響光学素子を調整している場合に、不注意な高増幅による、音響光学素子における水晶の損傷に対する一層の安全性である。また、電子コンポーネントの構造寸法がより小さく、それは、特に、より小さな増幅器ゆえの機械的な設計上の利点を提供する。また、設計は、コンポーネントを削減することによって単純化され、熱放散を達成する。
【００５９】
本発明の代替実施形態を図６に示す。全ての機能素子、すなわちデジタル周波数計算ユニット２６、修正ユニット２９、デジタル重ね合わせユニット３０、および設けられる場合には補償ユニット３４を含むデジタルデータ処理ユニットである。図１−３に示す実施形態とは対照的に、図６による音響光学素子において用いられる水晶３には、３つのトランスデューサ２ａ、２ｂおよび２ｃが含まれ、各トランスデューサ２ａ、２ｂおよび２ｃに送信された信号は、それぞれの個別デジタル−アナログ変換器ＤＡＣ３２ａ、３２ｂおよび３２ｃ、ならびにそれぞれの個別増幅器３３ａ、３３ｂおよび３３ｃによって変換される。全く同一の水晶３上に設けられた個別のトランスデューサ２ａ、２ｂおよび２ｃに送信される信号は、重ね合わせ信号または個々の信号であってもよい。
【００６０】
本発明の別の実施形態を図７に示す。図６に示す実施形態と比較すると、１つの単一水晶上に３つのトランスデューサを設ける代わりに、３つの異なる音響光学素子１ａ、１ｂおよびｌｃが設けられ、それぞれは、それぞれ別個のＤＡＣ３２ａ、３２ｂおよび３２ｃならびに増幅器３３ａ、３３ｂおよび３３ｃによって駆動される。
【００６１】
図８は、顕微鏡全体、ここでは特に共焦点顕微鏡の概略図を示す。線スペクトル光源１８が、入射光を発生し、この入射光は、音響光学可変フィルタＡＯＴＦの形態をした音響光学素子によってフィルタリングアウトされる。次に、所望の波長または所望の波長帯域幅の有用な光ビームが、スキャナ３６および対物レンズ２０を通して対象物２１上に送信される。蛍光走査顕微鏡の場合に、蛍光は、対象物２１から放射されて混合され、対物レンズを通して逆に音響光学ビームスプリッタに入るが、この音響光学ビームスプリッタは、画像を生成するための有用な光ビームを偏向し、この有用な光ビームを検出器３７に送る。検出器３７は、コンピュータ３８に接続され、コンピュータ３８は、一方では線３９を通して制御信号を逆にスキャナ３６に送信し、他方では所望の波長および強度を示す信号を、デジタルデータ処理ユニット３５に供給する。デジタルデータ処理ユニット３５は、図１−３に示す実施形態を参照して詳細に説明したように働く。音響光学ビームスプリッタが２つの音響光学可変フィルタＡＯＴＦを含むので、デジタル−アナログ変換器とそれぞれの増幅器の２つの組み合わせ４０ｂ、４０ｃが、例えば図７に示す実施形態でもまた説明されるように、この実施形態において設けられる。デジタル−アナログ変換器とそれぞれの増幅器の別の組み合わせ４０ａが、アナログ電子駆動信号を、入射光をフィルタリングするＡＯＴＦに供給するために設けられる。この実施形態において、様々なセンサが設けられ、温度変動に対する追加的な補償を実行するための信号を、それぞれのデータ線４１、４２、４３を介してデジタルデータ処理ユニット３５に供給する。データ線４１は、光源１８からの温度信号を送信し、データ線４２は、入射光をフィルタリングするＡＯＴＦからの温度信号を送信し、データ線４３は、デジタル−アナログ変換器とそれぞれの増幅器の組み合わせ４０ａからの温度信号を、デジタルデータ処理ユニット３５に送信する。
【００６２】
図８に示す顕微鏡の変形、例えば、広視野光学顕微鏡または広視野蛍光顕微鏡が望ましい場合にスキャナを削除することが可能である。共焦点走査顕微鏡において、ＡＯＢＳは、二色もしくは中性フィルタで取り替えてもよく、かつ／または様々なＡＯＴＦ／ＡＯＭは、異なるレーザ／レーザ線用に同時に用いてもよい。
【００６３】
例示目的だけで実施形態を説明したことを理解されたい。本発明の範囲から逸脱せずに、多くの修正および変形が可能である。
【図１】
0005934701.tif 000002
【図２】
0005934701.tif 000003
【図３】
0005934701.tif 000004
【図４】
0005934701.tif 000005
【図５】
0005934701.tif 000006
【図６】
0005934701.tif 000007
【図７】
0005934701.tif 000008
【図８】
0005934701.tif 000009
【図９】
0005934701.tif 000010
【図１０】
0005934701.tif 000011
【図１１】
0005934701.tif 000012
【図１２】
0005934701.tif 000013
【図１３】
0005934701.tif 000014
【図１４】
0005934701.tif 000015